(57)【要約】【課題】  引掛シーリングへの取付が可能でありながら、天井に直付けされた場合であっても異物が入り込みにくい照明器具を提供する。【解決手段】  天井３に固定された引掛シーリング４に接続されるアダプタ２と、引掛シーリング４とアダプタ２とを介して給電される灯具１とを備える。アダプタ２は、引掛シーリング４に接続されるコネクタ部２１と、灯具１に結合するホルダ部２２とを有する。灯具１は、水平方向であってそれぞれ異なる向きに開口する２個の係合穴１０を有し、ホルダ部２２は、１個ずつの係合穴１０に係入することで灯具１を支持する２個の係合爪２２０を有する。アダプタ２が挿通される穴を灯具１に設ける必要がないから、灯具１が天井に直付けされる場合であっても灯具１内に異物が入り込みにくい。【選択図】図１
2015125916.tif 000002
【特許請求の範囲】
【請求項１】
天井に固定された引掛シーリングに接続されるアダプタと、前記引掛シーリングと前記アダプタとを介して給電される灯具とを備え、
前記アダプタは、前記引掛シーリングに接続されるコネクタ部と、前記灯具に結合するホルダ部とを有し、
前記灯具は、水平方向であってそれぞれ異なる向きに開口する複数個の係合穴を有し、
前記ホルダ部は、１個ずつの前記係合穴に係入することで前記灯具を支持する複数個の係合爪を有することを特徴とする照明器具。
【請求項２】
前記ホルダ部は、前記コネクタ部に連結されたアーム部と、前記係合爪を有し前記アーム部からの前記係合爪の突出寸法を変化させる方向に前記アーム部に対して変位可能に連結された係合片と、前記アーム部と前記係合片との間に介在して前記アーム部からの前記係合爪の突出寸法を大きくする方向にばね力を作用させる復帰ばねとを有し、
前記係合片は、前記復帰ばねのばね力に抗して前記アーム部からの前記係合爪の突出寸法を小さくする方向に前記係合片を変位させる操作力を受ける操作部を有することを特徴とする請求項１記載の照明器具。
【請求項３】
前記アダプタと前記灯具との電気的な接続は電線を介して達成されるものであって、
前記アダプタにおいて前記電線が接続される電線接続部は、前記アダプタが前記灯具に結合した状態で露出する位置に設けられていることを特徴とする請求項１又は請求項２記載の照明器具。
【発明の詳細な説明】
【技術分野】
【０００１】
本発明は、照明器具に関し、より具体的には、天井への直付けと引掛シーリングへの取付との両方が可能な照明器具に関するものである。
【背景技術】
【０００２】
従来、図５に示すように、天井３から垂下されたスタッドボルト３１により吊下支持される、いわゆる直付け型の照明器具が提供されている。図５の照明器具は、例えば金属板からなりスタッドボルト３１に支持されるベース１１と、下方から見てベース１１を覆う形でベース１１に結合するカバー１２とを備える。ベース１１とカバー１２とが互いに結合した状態では、全体として上下方向に扁平な直方体形状となる。ベース１１の底面には、１本ずつのスタッドボルト３１を挿通される４個のボルト挿通孔１１０が設けられている。ボルト挿通孔１１０に挿通された各スタッドボルト３１はそれぞれベース１１の下側においてナット３２にねじ込まれる。ボルト挿通孔１１０はナット３２を挿通不可能な寸法形状とされており、ベース１１は上記のナット３２上に載置される。また、ベース１１には、天井から引き出された電線３３が１本ずつ接続される２個の端子１１１が保持されている。上記の端子１１１としては、それぞれ例えば速結端子やねじ端子といった周知の端子を用いることができる。さらに、各端子１１１は、それぞれ、電線を介してプラグ１１２に接続されている。カバー１２は、電気的な光源（図示せず）と、光源を点灯させる電力を生成する電源装置（図示せず）とを収納及び保持している。光源としては例えば発光ダイオードアレイや有機ＥＬを用いることができる。また、電源装置には、上記のプラグ１１２とともに周知のコネクタを構成する２個のレセプタクル１２２が、それぞれ電線を介して接続されている。すなわち、電源装置には、外部の交流電源（図示せず）から、上記の電線３３やプラグ１１２やレセプタクル１２２を介して、交流電力が入力される。光源として発光ダイオードアレイや有機ＥＬが用いられる場合、電源装置としては、上記の交流電力を直流電力に変換する周知のＡＣ−ＤＣコンバータを用いることができる。また、カバー１２の少なくとも下面は透光性を有する材料で構成されており、上記の光源の光はカバー１２の下方に出射する。なお、上記のように電源装置の全体をカバー１２に保持させる代わりに、電源装置の一部または全部をベース１１に保持させてもよい。
【０００３】
また、図６に示すように、天井に固定される電源用コネクタの一種である、いわゆる引掛シーリング４に取り付けられる照明器具も提供されている（例えば、特許文献１参照）。照明器具は、引掛シーリング４に接続されるアダプタ２と、アダプタ２に結合する器具本体１３と、器具本体１３に結合するセード１４とを備える。引掛シーリング４は、中心と曲率半径とが互いに共通な２個の円弧形状の栓刃挿入穴４０を有する。栓刃挿入穴４０は、それぞれ下方から見て反時計回り方向の一端部が径方向の内向きに幅を広くされている。アダプタ２は１個ずつの栓刃挿入穴４０に挿入される２個の栓刃２１０を有する。各栓刃２１０はそれぞれ金属板からなり、先端部が内向きに（つまり先端を他の栓刃２１０に向けるようにして）曲げられたＬ字形状とされている。アダプタ２を引掛シーリング４に接続する際には、各栓刃２１０を上記の一端部から栓刃挿入穴４０に導入し、アダプタ２を下方から見て時計回りに回転させる。すると、各栓刃２１０の先端部が栓刃挿入穴４０の縁に引っ掛かるとともに引掛シーリング４内の刃受け（図示せず）に接触導通することで、機械的な接続と電気的な接続とが達成される。器具本体１３は全体として上下に扁平な円盤状であって、器具本体１３には、電気的な光源としての蛍光灯５が接続されるソケット１５と、蛍光灯５を点灯させる電力を生成する電源装置１６とが保持される。また、セード１４は、透光性を有する材料からなり、蛍光灯５の光はセード１４を通じて下方へ出射される。さらに、器具本体１３の中央部には、アダプタ２が挿通されるアダプタ挿通孔１３０が設けられている。電源装置１６は、電線１６０を介してプラグ１６１に接続されており、このプラグ１６１が、アダプタ２に設けられたレセプタクル２６０に挿入接続されることで、電源装置１６とアダプタ２の栓刃２１０とが電気的に接続される。また、図６の照明器具は、天井３に生じる日焼けを覆うことで見栄えを改善する化粧板１７を有する。化粧板１７には、アダプタ２が挿通されるアダプタ挿通孔１７０が設けられている。アダプタ２は、器具本体１３をアダプタ挿通孔１３０の縁において支持する第１支持爪２６１と、化粧板１７をアダプタ挿通孔１７０の縁において支持する第２支持爪２６２とを有する。
【先行技術文献】
【特許文献】
【０００４】
【特許文献１】特開２０１１−１７１１４６号公報
【発明の概要】
【発明が解決しようとする課題】
【０００５】
図５の例のような天井３への直付けと図６の例のような引掛シーリング４への取付との両方を可能とするためには、例えば、図６の例の器具本体１３と同様にアダプタ挿通孔１３０を図５のベース１１に設けることが考えられる。
【０００６】
上記のように天井３への直付けと引掛シーリング４への取付との両方を可能とした場合において、天井３に直付けすると、アダプタ２によって閉塞されず開放されたアダプタ挿通孔１３０から埃等の異物が入る可能性があった。天井３への直付けの際に使用されないアダプタ挿通孔１３０を閉塞するキャップ（図示せず）を設けることも考えられるが、その場合、キャップの着脱が煩わしく、また、キャップを紛失する可能性もある。
【０００７】
本発明は上記事由に鑑みてなされたものであり、その目的は、引掛シーリングへの取付が可能でありながら、天井に直付けされた場合であっても異物が入り込みにくい照明器具を提供することにある。
【課題を解決するための手段】
【０００８】
本発明の照明器具は、天井に固定された引掛シーリングに接続されるアダプタと、前記引掛シーリングと前記アダプタとを介して給電される灯具とを備え、前記アダプタは、前記引掛シーリングに接続されるコネクタ部と、前記灯具に結合するホルダ部とを有し、前記灯具は、水平方向であってそれぞれ異なる向きに開口する複数個の係合穴を有し、前記ホルダ部は、１個ずつの前記係合穴に係入することで前記灯具を支持する複数個の係合爪を有することを特徴とする。
【０００９】
上記の照明器具において、前記ホルダ部は、前記コネクタ部に連結されたアーム部と、前記係合爪を有し前記アーム部からの前記係合爪の突出寸法を変化させる方向に前記アーム部に対して変位可能に連結された係合片と、前記アーム部と前記係合片との間に介在して前記アーム部からの前記係合爪の突出寸法を大きくする方向にばね力を作用させる復帰ばねとを有し、前記係合片は、前記復帰ばねのばね力に抗して前記アーム部からの前記係合爪の突出寸法を小さくする方向に前記係合片を変位させる操作力を受ける操作部を有することが望ましい。
【００１０】
上記の照明器具において、前記アダプタと前記灯具との電気的な接続は電線を介して達成されるものであって、前記アダプタにおいて前記電線が接続される電線接続部は、前記アダプタが前記灯具に結合した状態で露出する位置に設けられていることが望ましい。
【発明の効果】
【００１１】
本発明によれば、アダプタを挿通する穴を灯具に設ける必要がないから、アダプタを用いずに天井に灯具が直付けされる場合であっても灯具内へに埃等の異物が入り込みにくい。
【図面の簡単な説明】
【００１２】
【図１】本発明の実施形態に係る照明器具を示す側面図である。
【図２】上記の照明器具を示す分解斜視図である。
【図３】本発明の変更例に係る照明器具の要部を示す断面図である。
【図４】本発明の別の変更例に係る照明器具のアダプタを示す断面図である。
【図５】従来の照明器具を示す分解斜視図である。
【図６】従来の別の照明器具を示す分解斜視図である。
【発明を実施するための形態】
【００１３】
本発明の照明器具は、天井３に固定された引掛シーリング４に接続されるアダプタ２と、引掛シーリング４とアダプタ２とを介して給電される灯具１とを備える。アダプタ２は、引掛シーリング４に接続されるコネクタ部２１と、灯具１に結合するホルダ部２２とを有する。灯具１は、水平方向であってそれぞれ異なる向きに開口する複数個の係合穴１０を有し、ホルダ部２２は、１個ずつの係合穴１０に係入することで灯具１を支持する複数個の係合爪２２０を有する。
【００１４】
上記の照明器具において、ホルダ部２２は、コネクタ部２１に連結されたアーム部２２１と、係合爪２２０を有しアーム部２２１からの係合爪２２０の突出寸法を変化させる方向にアーム部２２１に対して変位可能に連結された係合片２４と、アーム部２２１と係合片２４との間に介在してアーム部２２１からの係合爪２２０の突出寸法を大きくする方向にばね力を作用させる復帰ばね２５とを有し、係合片２４は、復帰ばね２５のばね力に抗してアーム部２２１からの係合爪２２０の突出寸法を小さくする方向に係合片２４を変位させる操作力を受ける操作部２４１を有することが望ましい。
【００１５】
上記の照明器具において、アダプタ２と灯具１との電気的な接続は電線を介して達成されるものであって、アダプタ２において電線が接続される電線接続部２３は、アダプタ２が灯具１に結合した状態で露出する位置に設けられていることが望ましい。
【００１６】
以下、本発明を実施するための最良の形態について、図面を参照しながら説明する。
【００１７】
本実施形態は、図１及び図２に示すように、天井３への直付けが可能な灯具１と、引掛シーリング４への灯具１の取付を可能とするアダプタ２とを備える。
【００１８】
灯具１は、図５で説明した照明器具とほぼ同様の構成を有し、さらに、天井３への取付状態で水平方向に向けられる面である４個の側面のうち、互いに逆向きの２個の側面のそれぞれ中央部に係合穴１０を有する。
【００１９】
アダプタ２は、引掛シーリング４が有する刃受け（図示せず）に接触導通する２個の栓刃２１０を有するコネクタ部２１と、灯具１に結合するホルダ部２２とを有する。
【００２０】
コネクタ部２１は、全体として軸方向を上下方向に向けた円柱形状の本体部２１１を有し、各栓刃２１０はそれぞれ本体部２１１の上面から突出している。
【００２１】
ホルダ部２２は、本体部２１１の外周面の下端から互いに逆向きに突出し先端が下方に曲がった２個のアーム部２２１を有する。各アーム部２２１には、それぞれ、先端部（下端部）から内向き（他方のアーム部２２１に近づく向き）に突出する係合爪２２０が設けられている。各係合爪２２０が１個ずつの係合穴１０に係入することで灯具１は支持される。各アーム部２２１を一時的に弾性変形させることで係合爪２２０を係合穴１０に出し入れすることができ、これによってアダプタ２は灯具１に対して着脱自在となっている。さらに、アダプタ２の栓刃２１０と灯具１の端子１１１（図５参照）とにそれぞれ電線２３０（灯具１側の電線は図示せず）を介して接続される電線接続部２３が、アダプタ２と灯具１とが互いに結合した状態で露出する部位（例えば一方のアーム部２２１の上面）に設けられている。すなわち、電線接続部２３を介して、アダプタ２の栓刃２１０と灯具１内の電源装置（図示せず）とが互いに電気的に接続される。電線接続部２３としては、例えば速結端子やねじ端子などの周知の端子を用いてもよいし、周知のコネクタを用いてもよい。上記のようにアダプタ２と灯具１とが互いに結合した状態で露出する部位に電線接続部２３を設ければ、灯具１がアダプタ２に取り付けられた状態で電線接続部２３に電線を接続することができる。
【００２２】
また、灯具１の上面と天井３との間には、例えばスポンジからなる柔軟なスペーサ３４が複数個配置される。スペーサ３４は例えばアダプタ２のコネクタ部２１を囲む長方形の頂点の配置で４個設けられる。上記のスペーサ３４が灯具１の上面と天井３との間で僅かに潰されることで、灯具１のがたつきが抑えられる。
【００２３】
上記構成によれば、灯具１の側面に設けられた係合穴１０にアダプタ２の係合爪２２０が係入することで灯具１がアダプタ２に支持されるので、アダプタ２が挿通されるアダプタ挿通孔１３０（図６参照）を灯具１に設ける必要がないから、灯具１内に埃等の異物が入り込みにくい。
【００２４】
なお、灯具１を天井３に直付け可能とする方法としては、図５の例のようにスタッドボルト３１が挿通されるボルト挿通孔１１０を有するベース１１と光源を保持してベース１１に結合するカバー１２とで灯具１を構成するという方法のほか、スタッドボルト３１に結合して灯具１を支持する適宜形状の金具（図示せず）を用いるという方法も考えられる。また、アダプタ２の電線接続部２３に接続された電線が灯具１において接続される部位としては、上記のように直付けの際に天井３から引き出された電線３３が接続される端子１１１（図５参照）と共通としてもよいし、別途の端子やコネクタを設けてもよい。
【００２５】
また、ホルダ部２２において、一方または両方の係合爪２２０を、図３に示すようにアーム部２２１とは別部品で構成された係合片２４に設けてもよい。図３の例では、係合片２４は、アーム部２２１に対し、コネクタ部２１からのアーム部２２１の突出方向と上下方向とに直交する回転軸２４０周りに回転可能に連結されている。係合片２４は、回転軸２４０の近傍において、アーム部２２１に設けられた挟み部２２２に挟まれている。アーム部２２１に対する係合片２４の連結は、円柱形状の軸棒を係合片２４と各挟み部２２２とに貫通させることで実現してもよいし、係合片２４と各挟み部２２２との一方に設けた凸部を他方に設けた凹部に嵌め込むことで実現してもよい。また、係合片２４において、回転軸２４０と係合爪２２０との間の部位は、引っ張りコイルばねからなる復帰ばね２５を介してアーム部２２１に連結されている。復帰ばね２５のばね力は、アーム部２２１からの係合爪２２０の突出寸法を大きくして係合穴１０に係入させるように係合片２４をアーム部２２１に対して変位させる方向（つまり、図３での反時計回りに回転させる方向）に作用する。さらに、係合片２４は、係合爪２２０が係合穴１０に係入した状態でも挟み部２２２の間から水平方向の外側（図３での左側）に突出する操作部２４１を有する。アダプタ２に対して灯具１を着脱する際には、操作部２４１に上向きの押力を加えれば、復帰ばね２５のばね力に抗して係合片２４を図３での時計回り（つまり、アーム部２２１からの係合爪２２０の突出寸法を小さくする方向）に回転変位させることができる。なお、灯具１において係合穴１０の周囲の部位を、他の部位に対して係合穴１０の深さ方向（図１での左右方向）に弾性的に変位可能とすることで、係合穴１０に対する係合爪２２０の係脱を容易としてもよい。また、アーム部２２１に対する係合片２４の変位は、アーム部２２１からの係合爪２２０の突出寸法を変化させて係合爪２２０を係合穴１０に係脱させる変位であれば上記のような回転移動に限られず、例えば図３における左右方向の平行移動であってもよい。
【００２６】
さらに、図４に示すように、ホルダ部２２を、コネクタ部２１に対して回転可能としてもよい。具体的には、ホルダ部２２は、厚さ方向を上下方向に向けてコネクタ部２１の下側に位置する円板形状の胴部２２３を有し、各アーム部２２１はそれぞれ胴部２２３から水平方向（胴部２２３の径方向）の互いに逆向きに突出している。また、胴部２２３の上面の中央部には軸凸部２２４が設けられ、コネクタ部２１の本体部２１１の下面には軸受穴２１２が設けられている。そして、軸凸部２２４が軸受穴２１２に収納されることで、ホルダ部２２はコネクタ部２１に対して上下方向に平行な軸周りに回転可能となっている。また、軸凸部２２４の上端部には下側の部位よりも外径を大きくされた鍔部２２５が設けられており、この鍔部２２５が軸受穴２１２の開口の周囲に引っ掛かることで、軸受穴２１２からの軸凸部２２４の脱落が防止されている。この場合において、栓刃２１０と電線接続部２３とを相互に接続する電線２３０は、例えば軸凸部２２４とアーム部２２１とに跨って設けられた溝又は貫通孔に通される。上記構成を採用すれば、灯具１の取付後であっても、灯具１をホルダ部２２とともに回転させることで、例えば直方体形状の灯具１の側面を壁面に平行にするといった、灯具１の向きの調整が可能となる。
【符号の説明】
【００２７】
１  灯具
２  アダプタ
３  天井
４  引掛シーリング
１０  係合穴
２１  コネクタ部
２２  ホルダ部
２３  電線接続部
２４  係合片
２２０  係合爪
２２１  アーム部
２４１  操作部
【図１】
2015125916.tif 000003
【図２】
2015125916.tif 000004
【図３】
2015125916.tif 000005
【図４】
2015125916.tif 000006
【図５】
2015125916.tif 000007
【図６】
2015125916.tif 000008